(57)【要約】【課題】停電の発生時，自動的に且つ速やかに，途切れることなく空圧機器に対して圧縮空気を供給することができる圧縮空気供給システムを提供する。【解決手段】商用電源からの電力の供給を受けて駆動されるモータ駆動型圧縮機１０と，停電時における圧縮空気の予備供給源としてエンジン駆動型圧縮機２０を設けると共に，エンジン駆動型圧縮機２０の始動を制御する制御装置３０と，該制御装置３０の電源となるバッテリ４０を設ける。前記制御装置３０には更に停電の発生を検知して停電検知信号を発生する停電検知手段３１と，停電検知信号を受信してエンジン駆動型圧縮機２０に対し始動信号を出力する制御部３２を設けると共に，始動信号を受信してエンジンの始動処理を開始する運転制御装置２１をエンジン駆動型圧縮機２０に設ける。【選択図】図１
2015218655.tif 000002
【特許請求の範囲】
【請求項１】
商用電源からの電力の供給を受けて駆動されるモータ駆動型圧縮機を圧縮空気の供給源として備える圧縮空気供給システムにおいて，
停電時における圧縮空気の予備供給源としてエンジン駆動型圧縮機を設けると共に，前記エンジン駆動型圧縮機の始動を制御する制御装置と，前記制御装置の電源となるバッテリを設け，
前記制御装置に，
前記商用電源からの送電の停止を検知する停電検知手段と，
前記停電検知手段からの停電検知信号の受信を条件として前記エンジン駆動型圧縮機に対し始動信号を出力する制御部を設けると共に，
前記エンジン駆動型圧縮機に，前記制御部からの始動信号の受信を条件として前記エンジン駆動型圧縮機のエンジンの始動処理を開始する運転制御装置を設けたことを特徴とする圧縮空気供給システム。
【請求項２】
前記商用電源より供給された電力によって前記バッテリを充電する充電器を設けたことを特徴とする請求項１記載の圧縮空気供給システム。
【請求項３】
空圧機器に供給する圧縮空気の圧力を検知する圧力検知手段を設けると共に，
前記制御装置の前記制御部が，前記停電検知手段からの停電検知信号の受信に加え，更に，前記圧力検出手段が所定の始動圧力以下の圧力を検知したことを条件として前記始動信号を出力することを特徴とする請求項１又は２記載の圧縮空気供給システム。
【請求項４】
前記制御装置の前記停電検知手段を，前記商用電源からの電力の供給再開を検知して復電検知信号を出力可能に構成すると共に，
前記制御部を，前記停電検知手段からの前記復電検知信号の受信を条件に前記エンジン駆動型圧縮機に対し停止信号を出力可能に構成し，
前記エンジン駆動型圧縮機の前記運転制御装置が，前記停止信号の受信を条件として該エンジン駆動型圧縮機の停止処理を開始することを特徴とする請求項１〜３いずれか１項記載の圧縮空気供給システム。
【請求項５】
空圧機器に供給する圧縮空気の圧力を検知する圧力検知手段を設けると共に，
前記制御装置の前記制御部が，前記停電検知手段からの復電検知信号の受信に加え，更に，前記圧力検出手段が所定の停止圧力以上の圧力を検知したことを条件として前記停止信号を出力することを特徴とする請求項４記載の圧縮空気供給システム。
【発明の詳細な説明】
【技術分野】
【０００１】
本発明は圧縮空気供給システムに関し，例えば工場設備等で使用される空圧機器に対し圧縮空気を供給する圧縮空気供給システムに関する。
【背景技術】
【０００２】
各種の機器や工具を駆動するための動力として，或いは製品の運搬，塗装，エアブロー等を行うために，工場設備等においては製品の製造に際し多量の圧縮空気を必要としており，このような圧縮空気の供給を必要とする機械，器具，装置類（本明細書においてこれらを総称して「空圧機器」という。）に対する圧縮空気の供給を，工場設備等に設けた圧縮空気供給システムによって一元的に管理することも行われている。
【０００３】
また，このような工場設備等では，空圧機器の稼働状態に応じて消費される圧縮空気の総量に変動が生じることに鑑み，空圧機器により消費される圧縮空気の消費量の変動に対応し，必要量の圧縮空気を必要な時に安定的且つ経済的に供給できるようにするために，複数台のモータ駆動型圧縮機を備えた圧縮空気供給システムを構築し，圧縮空気の使用量に応じた台数制御運転や交互運転等の運転制御方法を行うことも提案されている（特許文献１参照）。
【０００４】
なお，モータ駆動型圧縮機に対する電力の供給が停止した場合であっても，電力の供給停止が所定の短い時間内に止まる「瞬停」である場合に，自動でモータ駆動型圧縮機を再始動する圧縮機の瞬停自動再始動装置も提案されている（特許文献２参照）。
【先行技術文献】
【特許文献】
【０００５】
【特許文献１】特開２００８−１３３７８１号公報
【特許文献２】特開昭６２−１１３８７７号公報
【発明の概要】
【発明が解決しようとする課題】
【０００６】
工場設備の中には，製造等している製品の製造方法上の理由により，或いは品質維持の観点から，所定の製造工程が終了する迄，あるいはロット単位等での製品の加工等が終了する迄の間は稼働を停止することができないものもあり，このような設備の稼働を維持するためには前述した空圧機器に対する継続的な圧縮空気の供給を確保することが必要となる。
【０００７】
しかし，工場設備等に設けられる圧縮空気供給システムでは，圧縮空気の発生源として商用電源からの電力の供給を受けて運転されるモータ駆動型圧縮機を採用するのが一般的であるから，停電の発生によって電力の供給が断たれると，モータ駆動型圧縮機が停止して空圧機器に対する圧縮空気の供給ができなくなり，所定の製造工程中，あるいはロットの途中で加工等が中断された製品は，製造方法上あるいは品質管理上の理由により廃棄や再加工が必要となる場合があり，大きな損失となる。
【０００８】
そのため，停電が発生した場合であっても，圧縮空気供給システムの運転を維持し，継続的な圧縮空気の供給を確保することが要望される。
【０００９】
このような停電に対する対策として，一例として図５に示すように前述の圧縮空気供給システム１００に，予備電源としてエンジン駆動型発電機１７０を設け，電源自動切替装置１３０に設けた停電検知制御装置１３１が停電の発生を検知した時，エンジン駆動型発電機１７０を始動すると共に，電源自動切替手段１３２がエンジン駆動型発電機１７０で発生した電力をモータ駆動型圧縮機１１０に供給してモータ駆動型圧縮機１１０を運転することも考えられる。
【００１０】
しかし，圧縮空気供給システムの消費電力は，一般に工場設備の全消費電力に対し３０％にあたると言われている程の膨大なものであり，しかも，モータ駆動型圧縮機１１０に使用されている三相交流モータは定格運転時に比較して始動時には３倍程度の大電力を必要とする。
【００１１】
そのため，エンジン駆動型発電機１７０を予備電源として，停電時に圧縮空気供給システム１００のモータ駆動型圧縮機１１０に対する電力の供給をこのエンジン駆動型発電機１７０によって行おうとした場合，普段は使用されることがない，停電時においてのみ使用される予備電源として，高価な大型のエンジン駆動型発電機１７０を常備することが必要で，多額の初期投資が必要になると共に，このような大型のエンジン駆動型発電機１７０を設置するためのスペースの確保，維持・管理に対する費用と労力の負担が必要となる。
【００１２】
仮に上記の問題をクリアして予備電源として大型のエンジン駆動型発電機１７０を設置したとしても，停電が発生してから予備電源であるエンジン駆動型発電機１７０が始動して所定電圧に立ち上がって安定した電力の供給を開始できるようになる迄には所定の時間を必要とするため，その間，モータ駆動型圧縮機１１０に対する電力の供給が断たれる。
【００１３】
また，予備電源からの電力の供給を受けてモータ駆動型圧縮機１１０を再始動し，吐出側の圧力が所定の圧力に迄上昇して安定した圧縮空気の供給を再開できるようになる迄にも所定の時間が必要で，その結果，停電の発生から圧縮空気の供給が再開される迄には比較的長時間を要し，この間，空圧機器１６０が停止する。
【００１４】
特に，電力の供給を絶たれて停止したモータ駆動型圧縮機１１０を再始動させるために，モータ駆動型圧縮機１１０の操作パネル等に設けられたスイッチ類を手動操作する等の煩雑な操作が必要である場合には，停電発生から圧縮空気の供給を再開するまでに要する時間は更に長くなる。
【００１５】
なお，特許文献２として紹介したように，モータ駆動型圧縮機に対する電力の供給が停止した場合であっても，この電力の供給停止が「瞬停」である場合，モータ駆動型圧縮機の再始動を自動で行うことができるようにした圧縮機の再始動装置が提案されていることから，この再始動装置を図５のエンジン駆動型発電機１７０を予備電源として設けた圧縮空気供給システム１００に適用して，停電の発生後，予備電源からの電力供給が一定時間内に開始された場合に，モータ駆動型圧縮機１１０の再始動を自動で行えるようにすることも考えられる。
【００１６】
しかし，仮にモータ駆動型圧縮機１１０の再始動を自動で行うことができたとしても，停電の発生後，予備電源からの電力供給が開始される迄の間，モータ駆動型圧縮機１１０は停止することとなるから，モータ駆動型圧縮機１１０の停止後，再始動して安定的に圧縮空気の供給ができるようになる迄の間，空圧機器１６０に対する圧縮空気の供給が停止することには変わりがない。
【００１７】
しかも，停電の発生から予備電源による電力の供給開始迄の時間が「瞬停」を超えて長時間に及んだ場合，再始動を自動で行うこともできなくなる。
【００１８】
なお，圧縮空気供給システム１００では，空圧機器１６０が停止して圧縮空気が消費されていない時にはモータ駆動型圧縮機１１０を停止させており，空圧機器１６０が始動して圧縮空気の消費が再開されると，モータ駆動型圧縮機１１０を再始動させて圧縮空気の供給を再開する制御が行われることから，空圧機器１６０が作動を再開した後，モータ駆動型圧縮機１１０が停止状態から全負荷運転に移行する迄の間は，圧縮空気の供給不足が生じて空圧機器１６０に供給される圧縮空気の圧力が一時的に低下する。
【００１９】
そのため，このような圧縮空気の圧力低下が生じた場合であっても，空圧機器１６０に対し供給される圧縮空気の圧力が所定の圧力（例えば，空圧機器の動作を維持するために必要な，空圧機器の最低作動圧力）以下に低下することがないように，図５に示すようにモータ駆動型圧縮機１１０と空圧機器１６０を接続する供給配管系統１５０中に集合タンク１５３を設け，集合タンク１５３を含む供給配管系統１５０の貯留容積を増やすことで，空圧機器１６０による圧縮空気の消費が再開された場合であっても，供給配管系統１５０内の圧力が直ぐには所定の圧力（空圧機器の最低作動圧力）以下に低下することがないように構成している。
【００２０】
従って，圧縮空気供給システム１００に設ける前述の集合タンク１５３として，停電の発生後，予備電源からの電力の供給が開始されモータ駆動型圧縮機１１０が再始動して全負荷運転に移行する迄の間，空圧機器１６０に対する圧縮空気の供給を維持できる程の大容量のものを設ければ，理論上，停電の発生によっても空圧機器１６０を停止させることなく工場設備等の稼働を継続させることが可能となる。
【００２１】
しかし，停電の発生後，エンジン駆動型発電機１７０の始動と安定した電力の供給を開始できるまでの間，更に，その後に行われるモータ駆動型圧縮機の再始動と安定した圧縮空気の供給が再開される迄の比較的長時間に渡り，空圧機器１６０に対する圧縮空気の供給を賄える程の容量を備えた集合タンク１５３を設けようとすれば，設備の規模に応じた大型の集合タンク１５３の設置が必要となり，圧縮空気供給システム１００のコスト高を招くと共に，大型の集合タンク１５３を設置するための設置スペースの確保も必要となる。
【００２２】
そこで本発明は，上記従来技術における欠点を解消するために成されたものであり，停電の発生時，自動的に且つ速やかに，途切れることなく空圧機器に対して圧縮空気を供給することができる圧縮空気供給システムを提供することを目的とする。
【課題を解決するための手段】
【００２３】
以下に，課題を解決するための手段を，発明を実施するための形態で使用する符号と共に記載する。この符号は，特許請求の範囲の記載と発明を実施するための形態の記載との対応を明らかにするためのものであり，言うまでもなく，本願発明の技術的範囲の解釈に制限的に用いられるものではない。
【００２４】
上記目的を達成するために，本発明の圧縮空気供給システム１は，
商用電源からの電力の供給を受けて駆動されるモータ駆動型圧縮機１０を圧縮空気の供給源として備える圧縮空気供給システム１において，
停電時における圧縮空気の予備供給源としてエンジン駆動型圧縮機２０を設けると共に，前記エンジン駆動型圧縮機２０の始動を制御する制御装置３０と，前記制御装置３０の電源となるバッテリ４０を設け，
前記制御装置３０に，
前記商用電源からの送電の停止を検知する停電検知手段３１と，
前記停電検知手段３１からの停電検知信号の受信を条件として前記エンジン駆動型圧縮機２０に対し始動信号を出力する制御部３２を設けると共に，
前記エンジン駆動型圧縮機２０に，前記制御部３２からの始動信号の受信を条件として前記エンジン駆動型圧縮機２０のエンジンの始動処理を開始する運転制御装置２１を設けたことを特徴とする（請求項１）。
【００２５】
上記構成の圧縮空気供給システム１には，更に，前記商用電源より供給された電力によって前記バッテリ４０を充電する充電器３３を例えば前記制御装置３０に設けることができる（請求項２）。
【００２６】
更に，空圧機器６０に供給される圧縮空気の圧力を検知する圧力検知手段Ｐｓ２を設けると共に，
前記制御装置３０の前記制御部３２が，前記停電検知手段３１からの停電検知信号の受信に加え，更に，前記圧力検出手段Ｐｓ２が所定の始動圧力（例えば，全負荷運転復帰圧力ＰＬ）以下の圧力を検知したことを条件として前記始動信号を出力するものとしても良い（請求項３）。
【００２７】
また，前記制御装置３０の前記停電検知手段３１を，前記商用電源からの電力の供給再開を検知して復電検知信号を出力可能に構成すると共に，
前記制御部３２を，前記停電検知手段３１からの前記復電検知信号の受信を条件に前記エンジン駆動型圧縮機に対し停止信号を出力可能に構成し，
前記エンジン駆動型圧縮機２０の前記運転制御装置２１が，前記停止信号の受信を条件として該エンジン駆動型圧縮機のエンジンの停止処理を開始するようにすることもできる（請求項４）。
【００２８】
この場合，空圧機器６０に供給する圧縮空気の圧力を検知する圧力検知手段Ｐｓ２を設けると共に，
前記制御装置３０の前記制御部３２が，前記停電検知手段３１からの復電検知信号の受信に加え，更に，前記圧力検出手段Ｐｓ２が所定の停止圧力（例えば無負荷運転開始圧力ＰＨ）以上の圧力を検知したことを条件として前記停止信号を出力するようにしても良い（請求項５）。
【発明の効果】
【００２９】
以上で説明した本発明の構成により，本発明の圧縮空気供給システム１によれば，以下の顕著な効果を得ることができた。
【００３０】
停電によってモータ駆動型圧縮機１０の運転が停止すると，圧縮空気の予備供給源として設けられたエンジン駆動型圧縮機２０を自動的に，且つ，速やかに始動して空圧機器６０に対し圧縮空気を供給することができる圧縮空気供給システム１を提供することができた。
【００３１】
その結果，停電が発生した場合であっても空圧機器６０に対する圧縮空気の供給を停止することなく，且つ，供給する圧縮空気の圧力低下を最小限に抑えた状態で圧縮空気の供給を継続することができた。
【００３２】
また，モータ駆動型圧縮機１０の停止後，エンジン駆動型圧縮機２０が速やかに始動して圧縮空気の供給の引き継ぎが行われることから，停電の発生後，エンジン駆動型圧縮機２０による引き継ぎが行われる迄の間に生じる供給圧力の低下を比較的小さく抑えることができ，供給配管系統５０の容量，具体的には集合タンク５３の容量を小さくした場合であっても，空圧機器６０に供給される圧縮空気の圧力が空圧機器６０の作動に必要な所定の圧力（最低作動圧力）よりも低下することを好適に防止することができ，圧縮空気供給システムの導入経費を削減することができると共に，設置面積の縮小が可能となった。
【００３３】
また，圧縮空気の主供給源として設けられているモータ駆動型圧縮機１０を予備電源であるエンジン駆動型発電機からの電力によって駆動するのではなく，圧縮空気の予備供給源として設けたエンジン駆動型圧縮機２０によって圧縮空気の供給を引き継ぐ構成としたこと，及び，制御装置３０の電源となるバッテリ４０を内蔵したことにより，予備電源としてエンジン駆動型発電機を設ける必要がなく，また，停電時に外部からの如何なる電力の供給を行う必要が無い。
【００３４】
その結果，工場設備等に設ける予備電源による電力の供給対象から圧縮空気供給システムを除外することができ，予備電源を大幅に小型化することができた。
【００３５】
なお，空圧機器６０に対して供給される圧縮空気の圧力を検知する圧力検知手段Ｐｓ２を設け，停電検知信号の受信後，圧力検知手段Ｐｓ２が所定の圧力（例えば全負荷運転復帰圧力ＰＬ）以下の圧力を検知した時に制御装置３０の制御部３２が始動信号を出力する構成とした場合には，空圧機器６０が停止しており圧縮空気の消費が行われていない場合等に，エンジン駆動型圧縮機２０を無駄に始動させることを防止できた。
【００３６】
また，復電検知信号の受信後，圧力検知手段Ｐｓ２が所定の圧力（例えば無負荷運転開始圧力ＰＨ）以上の圧力を検知した時に，制御装置３０の制御部３２が停止信号を出力する構成とした場合には，再始動したモータ駆動型圧縮機１０が圧縮空気の安定供給を行うことができる状態になる迄，エンジン駆動型圧縮機２０の運転を継続させることで，空圧機器６０に対して供給される圧縮空気の圧力が所定の圧力，例えば空圧機器６０の最低作動圧力よりも低下することを防止することができた。
【図面の簡単な説明】
【００３７】
【図１】本発明の圧縮空気供給システムのブロック図。
【図２】本発明の別の圧縮空気供給システムのブロック図。
【図３】エンジン駆動圧縮機のタイムチャート。
【図４】エンジン駆動型圧縮機のエンジン始動処理のタイムチャート。
【図５】予備電源を備えた圧縮空気供給システムのブロック図。
【発明を実施するための形態】
【００３８】
以下に，添付図面を参照しながら本発明の圧縮空気供給システム１について説明する。
【００３９】
〔全体構成〕
図１において，符号１は本発明の圧縮空気供給システムを示し，この圧縮空気供給システム１は，通常運転時における圧縮空気の供給源（主供給源）として使用され，商用電源からの電力によって駆動されるモータ駆動型圧縮機１０と，停電時における圧縮空気の供給源（予備供給源）として使用され，内蔵したエンジン（図示せず）によって駆動されるエンジン駆動型圧縮機２０と，停電発生時に前記エンジン駆動型圧縮機２０の始動を制御する制御装置３０，及び停電時における前記制御装置３０の電源となるバッテリ４０とを備え，停電が発生してモータ駆動型圧縮機１０が停止すると，制御装置３０が自動でエンジン駆動型圧縮機２０を始動することで，継続的な圧縮空気の供給を行うことができるように構成したものである。
【００４０】
この圧縮空気供給システム１には，前述のモータ駆動型圧縮機１０，及びエンジン駆動型圧縮機２０で発生した圧縮空気を空圧機器６０に対して供給するための供給配管系統５０が設けられており，図示の実施形態にあってはモータ駆動型圧縮機１０に連通された吐出配管５１とエンジン駆動型圧縮機２０に連通された吐出配管５２を共に集合タンク５３に連通して集合タンク５３内に圧縮空気を貯溜することができるよう構成すると共に，集合タンク５３に連通した供給配管５４を介して空圧機器６０に対し圧縮空気を供給できるように構成しており，前述の吐出配管５１，５２，集合タンク５３，及び供給配管５４によって，前述の供給配管系統５０が構成されている。
【００４１】
なお，図示の実施形態にあっては，エンジン駆動型圧縮機２０に搭載されたエンジン（図示せず）始動用バッテリ４０を制御装置３０の電源としても使用する構成しているが，制御装置３０用のバッテリ４０をエンジン駆動型圧縮機２０のエンジン始動用のバッテリとは別に，例えば制御装置３０内に設けるものとしても良く，又は，エンジン駆動型圧縮機２０にバッテリを設けずに制御装置３０内に設けたバッテリによりエンジン駆動型圧縮機２０のエンジンを始動するように構成しても良い。
【００４２】
〔モータ駆動型圧縮機〕
モータ駆動型圧縮機１０は，商用電源によって電力の供給が行われている通常運転時における圧縮空気の供給源（主供給源）として使用されるもので，商用電源からの電力の供給によって駆動されるモータ１１と，前記モータ１１によって駆動される圧縮機本体（図示せず）を備え，モータ１１によって駆動された圧縮機本体が外気を吸入すると共に圧縮して吐出することにより，圧縮空気の供給を行うことができるように構成されている。
【００４３】
このようなモータ駆動型圧縮機１０としては，既知の各種構成のものを使用することができる。
【００４４】
本実施形態にあっては，モータ駆動型圧縮機１０として既知の油冷式のモータ駆動型圧縮機を採用しており，この構成の圧縮機では，圧縮機本体の潤滑・密封・冷却のために圧縮作用空間内に導入された冷却油と，吸入した外気を圧縮した圧縮空気との気液混合流体として吐出する構造となっていることから，この圧縮機本体が気液混合流体として吐出した圧縮流体を貯留して冷却油と圧縮空気とに分離するためのレシーバタンク１２を備えている。
【００４５】
そして，このレシーバタンク１２内で冷却油が分離された圧縮空気を，前述の吐出配管５１，集合タンク５３及び供給配管５４を介して空圧機器６０に供給している。
【００４６】
このモータ駆動型圧縮機１０には，空圧機器６０側に常に一定範囲の圧力で圧縮空気を供給することができるようにするために，既知の容量制御を行う容量制御装置１３が設けられており，この容量制御装置１３が圧縮機本体の吸気弁（図示せず）の開閉制御及び／又は前記モータ１１の回転速度制御を行うことにより，圧力センサ等によって構成された圧力検知手段（Ｐｓ３）が検知する圧縮機本体の吐出側圧力（図示の例ではレシーバタンク１２内の圧力）が，空圧機器６０の最低作動圧力（Ｐ１）よりも高い圧力に設定された所定の全負荷運転復帰圧力（ＰＬ）と，前記全負荷運転復帰圧力（ＰＬ）よりも高い圧力に設定された所定の無負荷運転開始圧力（ＰＨ）の間の圧力に維持されるよう容量制御を行うように構成されている。
【００４７】
なお，図示の実施形態にあってはモータ駆動型圧縮機１０の吐出側圧力をレシーバタンク１２内の圧力を測定することにより得ているが，モータ駆動型圧縮機１０の吐出側圧力は，このレシーバタンク１２内の圧力の測定により得る構成に限定されず，モータ駆動型圧縮機１０から空圧機器６０に至る供給配管系統５０内，例えば吐出配管５１，集合タンク５３，供給配管５４に圧力検知手段を設けて検知するものとしても良い。
【００４８】
また，図１に記載の構成では，圧力検知手段（Ｐｓ３）からの検知信号に基づいて，電子制御手段である容量制御装置１３が出力した制御信号に基づいて圧縮機本体の吸気口の開閉制御とモータ１１の回転速度制御を電気的に制御するよう構成しているが，このような電気的な制御に代えて，例えば圧縮機本体の吐出側圧力により作動するレギュレータ類を使用した既知の機械的な制御によって前述の容量制御を行うものとしても良い。
【００４９】
なお，前述したように，容量制御装置１３を電子制御装置によって構成した場合，この容量制御装置１３にモータ駆動型圧縮機１０の保護回路の機能を持たせるものとしても良く，モータ駆動型圧縮機１０が予め設定された警報，非常停止条件に該当する運転状態になると，モータ駆動型圧縮機１０の操作パネル（図示せず）に設けられた液晶モニタパネルや表示灯等により警告等の表示を行うと共に，非常停止条件に該当する時にはモータ駆動型圧縮機１０を非常停止させるように構成しても良い。
【００５０】
このようなモータ駆動型圧縮機１０の警報表示または非常停止の条件としては，例えば，圧縮機本体内の潤滑油量の低下，該潤滑油の油温上昇，フィルタ目詰まり，過負荷などがある。
【００５１】
〔エンジン駆動型圧縮機〕
エンジン駆動型圧縮機２０は，停電発生時における圧縮空気の供給源（予備供給源）として使用するもので，電力の供給が無くとも自立して稼働することができるよう，ディーゼルエンジン（図示せず）を備えていると共に，このエンジンによって駆動される圧縮機本体（図示せず），前記エンジンを始動させるスタータ２３，及び該エンジン駆動型圧縮機２０の運転を制御する運転制御装置２１を備えており，エンジンによって駆動された圧縮機本体が外気を吸入すると共に圧縮・吐出することで，商用電源の供給が絶たれた停電時においても，前述したモータ駆動型圧縮機１０に代わり空圧機器６０に対して圧縮空気の供給を行うことができるものとなっている。
【００５２】
このようなエンジン駆動型圧縮機２０としては既知の各種の構成のものを使用することができ，例えば自立して稼働させるために必要な構成機器，例えばエンジン，燃料タンク，圧縮機本体，バッテリ，スタータ，各種制御装置類等をボンネット内に収容した，「パッケージ型」と呼ばれる既知のエンジン駆動型圧縮機を使用するものとしても良い。
【００５３】
本実施形態では，前述したモータ駆動型圧縮機１０と同様，エンジン駆動型圧縮機２０としても油冷式のものを使用しており，従って，エンジン駆動型圧縮機２０には，冷却油との気液混合流体として吐出された圧縮空気を導入して冷却油を分離するためのレシーバタンク２２を備えている。
【００５４】
また，エンジン駆動型圧縮機２０が，消費側に一定圧力の圧縮空気を供給することができるよう，レシーバタンク２２内の圧力が，前述したモータ駆動型圧縮機１０の全負荷運転復帰圧力（ＰＬ）と無負荷運転開始圧力（ＰＨ）の間に保持されるように容量制御を行うよう構成されている。
【００５５】
なお本実施形態にあっては，エンジン駆動型圧縮機２０の運転を制御する運転制御装置２１は，エンジンの始動・停止動作，及びレシーバタンク２２内の圧力に応じて圧縮機本体の吸気口の開閉制御及び/又はエンジンの回転速度の増減を行う容量制御装置としての機能を有するが，容量制御装置は，例えばレギュレータ等を使用した既知の機械的な制御によるものとしても良く，または、各種センサ等を使用した電子制御によるもの，あるいは，前記電子制御と前記機械的制御を組み合わせる等の手法を用いることができる。
【００５６】
エンジン駆動型圧縮機２０に設けられた前述の運転制御装置２１は，後述する制御装置３０からの始動信号を受信して，所定の手順に従いエンジン駆動型圧縮機２０を始動すると共に，エンジン駆動型圧縮機２０の運転状態をエンジンに装備されたオルタネータ（発電機）の発電信号，エンジン油圧を検知する油圧検知手段の検知信号，エンジンの回転速度を検知する回転速度検知手段，圧縮機本体の吐出側圧力を検知する圧力検知手段Ｐｓ１等の検知信号に基づいて監視し，その結果を後述する制御装置３０に出力する。
【００５７】
また，後述する制御装置３０の制御部３２が停止信号を出力した時に，この停止信号を運転制御装置２１が受信してエンジン駆動型圧縮機２０を所定の手順に従い停止するように構成しても良い。
【００５８】
運転制御装置２１より制御装置３０に対して行われる出力としては，エンジンが所定の回転速度に達したことを示す「エンジン運転信号」，圧縮機本体の吐出側圧力が所定の圧力（一例とし０．１５MPa）を超えたことを示す「圧力確立信号」の他，エンジン駆動型圧縮機の異常を示す「警報信号」，「非常停止信号」等を出力する。
【００５９】
なお，前記運転制御装置２１には「警報信号」，「非常停止信号」の出力時にエンジン駆動型圧縮機を非常停止させる保護回路の機能を持たせるものとしても良く，エンジン駆動型圧縮機２０の運転状態の監視により，前述した警報信号，非常停止信号の出力条件に該当する運転状態に達すると，制御装置３０の制御部３２へ警報信号，非常停止信号を出力すると共に，エンジン駆動型圧縮機２０を非常停止する制御を行うように構成しても良い。
【００６０】
このような警報または非常停止条件としては，例えば，エンジン駆動型圧縮機２０に設けられているエンジンの潤滑油の油圧低下，該潤滑油の油量低下，該潤滑油の油温上昇，エンジンの冷却水温上昇，エンジン回転速度の低下，燃料の残量不足（ガス欠），圧縮機本体の潤滑油の油量低下，該潤滑油の油温上昇等がある。
【００６１】
なお，エンジン駆動型圧縮機２０には，このエンジン駆動型圧縮機２０の始動，停止操作を行うためのキースイッチ等が設けられた計器盤（図示せず）を設け，後述する制御装置３０の制御部３２からの始動信号の有無にかかわらず，前記キースイッチの操作により前述の運転制御装置に対しエンジン駆動型圧縮機の始動操作を行わせることができるように構成しても良い。
【００６２】
〔制御装置〕
前述の制御装置３０は，商用電源の停電を検知する停電検知手段３１と，前記停電検知手段３１からの停電検知信号を受信してエンジン駆動型圧縮機２０の運転制御装置２１に対し始動信号を出力すると共に，運転制御装置２１より受信したエンジン駆動型圧縮機２０の運転状態に関する監視結果（前述の「エンジン運転信号」，「圧力確立信号」，「警報信号」，「非常停止信号」）に基づいて，エンジン駆動型圧縮機の運転状態，警報等を液晶ディスプレイ等の表示手段３４に表示させる制御部３２を備えている。
【００６３】
なお，図１では前記停電検知手段３１の出力信号として停電検知信号のみを表示しているが，停電検知手段３１は，商用電源による電力の供給再開（以下，「復電」という。）を検知して復電検知信号を出力できるように構成しても良く，この場合，停電検知手段３１からの復電検知信号を受信した制御部３２が，エンジン駆動型圧縮機２０の運転制御装置２１に対しエンジン駆動型圧縮機２０の停止を指令する停止信号を出力できるように構成しても良い。
【００６４】
また，制御装置３０は，商用電源から供給された電力によって制御装置３０の電源となるバッテリ４０を充電する充電器３３を備えている。
【００６５】
図１に示す実施形態にあっては，エンジン駆動型圧縮機２０に搭載したエンジン始動用のバッテリ４０を制御装置３０の電源バッテリと兼用することで，商用電源からの電力の供給時には商用電源によってバッテリ４０を充電すると共に，停電時にはエンジン駆動型圧縮機２０に設けたオルタネータ（図示せず）により充電を行うことができるようにしている。
【００６６】
もっとも，制御装置３０用のバッテリは，エンジン駆動型圧縮機２０に設けたバッテリとは別に，例えば制御装置３０内に設けるものとしても良く，また，エンジン駆動型圧縮機２０にバッテリを搭載せずに，制御装置３０に搭載したバッテリをエンジン駆動型圧縮機のエンジンの始動に使用するものとしても良い。
【００６７】
〔その他の構成〕
図２に示すように，空圧機器６０に対して供給される圧縮空気の圧力，例えば供給配管系統５０内の圧力，図示の例では集合タンク５３内の圧力を検知する圧力検知手段Ｐｓ２を設け，制御装置３０の制御部３２が，この圧力検知手段Ｐｓ２の検知信号により空圧機器６０に対して供給される圧縮空気の圧力を監視し，停電検知手段３１からの停電検知信号又は復電検知信号を受信した場合であっても，空圧機器６０に対して供給される圧縮空気の圧力が所定の圧力状態に無い場合，始動信号又は停止信号を出力しないように構成するものとしても良い。
【００６８】
具体的には，制御部３２は停電検知信号を受信しても，圧力検知手段（Ｐｓ２）が検知した圧力が例えばモータ駆動型圧縮機１０の全負荷運転復帰圧力（ＰＬ）を超えている場合には始動信号を出力せず，全負荷運転復帰圧力（ＰＬ）よりも低下した時に始動信号を出力するよう構成することで，例えば空圧機器６０が停止していて圧縮空気の消費が行われていない状態にある場合等にエンジン駆動型圧縮機を無駄に始動させることが防止できる。
【００６９】
また，制御部３２は復電検知信号を受信しても，圧力検知手段（Ｐｓ２）が検知した圧力が例えばモータ駆動型圧縮機１０の無負荷運転開始圧力（ＰＨ）未満の場合には停止信号を出力せず，エンジン駆動型圧縮機２０の運転を継続させ，再始動したモータ駆動型圧縮機１０による圧縮空気の供給が安定し、無負荷運転開始圧力（ＰＨ）以上になった時に停止信号を出力してエンジン駆動型圧縮機２０を停止させることで，再始動直後で不安定な運転状態にあるモータ駆動型圧縮機１０による圧縮空気の供給不足をエンジン駆動型圧縮機２０からの圧縮空気の供給によって補うことができるよう構成しても良い。
【００７０】
また，図示は省略するが，圧縮空気供給システム１全体の運転を制御・監視する制御室を設け，この制御室に対し圧縮空気供給システムの作動状況に関する信号を出力できるように構成しても良い。
【００７１】
〔動作等〕
（１）通常運転時
以上のように構成された本発明の圧縮空気供給システム１は，商用電源からの電力の供給が行われている通常運転時には，この商用電源からの電力の供給を受けて運転されるモータ駆動型圧縮機１０で発生した圧縮空気が供給配管系統５０を構成する吐出配管５１，集合タンク５３，供給配管５４を介して空圧機器６０に対し供給される。
【００７２】
モータ駆動型圧縮機１０の容量制御装置１３は，圧力検知手段Ｐｓ３の検知信号に基づき圧縮機本体の吐出側圧力（レシーバタンク１２内の圧力）が，前述した全負荷運転復帰圧力（ＰＬ）と無負荷運転開始圧力（ＰＨ）の間に保持されるよう，圧縮機本体の吸気口を開閉制御すると共に，モータ１１の回転速度を制御するよう，容量制御手段１３によって各部の動作が制御される。
【００７３】
具体的には，前記容量制御装置１３は，圧力検知手段（Ｐｓ３）による検知圧力が全負荷運転復帰圧力（ＰＬ）よりも低圧であるとき，圧縮機本体の吸気口を全開と成すと共にモータ１１の回転速度を全負荷回転速度（最高回転速度）とする全負荷運転を行い，圧力検知手段（Ｐｓ３）の検知圧力が全負荷運転復帰圧力（ＰＬ）以上になると，圧縮機本体の吸気口の開閉制御及びモータの回転速度の増減制御を行う。
【００７４】
このように商用電源からの電力の供給が行われ，モータ駆動型圧縮機１０により圧縮空気の供給が行われている通常運転時，制御装置３０は，充電器３３によってバッテリ４０の充電を行うが，停電検知手段３１は停電検知信号を出力せず，制御部３２からの始動信号は出力されないことから，エンジン駆動型圧縮機２０は停止した状態にある。
【００７５】
（２）停電時
以上のように，商用電源からの電力の供給が行われる通常運転に対し，商用電源からの電力の供給が停止した停電時には，モータ駆動型圧縮機１０は電力の供給が絶たれて停止する。
【００７６】
一方，制御装置３０に設けられた停電検知手段３１は，商用電源で停電が発生するとこれを検知して制御部３２に対し停電検知信号を出力する（図３のＴ１）。
【００７７】
停電検知手段３１からの停電検知信号を受信した制御部３２は，エンジン駆動型圧縮機に設けられた運転制御装置２１に対し，エンジンの始動を指令する始動信号を出力する（図３のＴ２）。
【００７８】
制御部３２による始動信号の出力は，停電検知手段３１からの停電検知信号の受信後直ちに行うものとしても良いが，雷等による瞬停（瞬時停電），および，電源の予期しない電圧変動等によるエンジン駆動型圧縮機２０の誤作動を防止するため，停電検知手段３１が停電を検知し，停電状態が所定時間（一例として２秒）継続した後にエンジン駆動型圧縮機に対して始動信号を出力する確認機能を設けるものとしても良い（図３のＴ１−Ｔ２）。
【００７９】
また，制御装置３０の制御部３２が圧力検知手段Ｐｓ２によって空圧機器６０に供給される圧縮空気の圧力を監視するように構成した図２に示す構成にあっては，停電検知信号の受信後，圧力検知手段Ｐｓ２により検知された圧力が予め設定した所定の圧力，一例として全負荷運転復帰圧力（ＰＬ）以下に低下した時，前述の始動信号を出力するように構成しても良く，このように構成することで，圧縮空気の消費が行われていない空圧機器６０の停止状態等において，エンジン駆動型圧縮機２０の不必要な始動を防止することができる。
【００８０】
このようにして，制御装置３０の制御部３２が始動信号を出力すると，この始動信号を受信した運転制御装置２１は，所定の手順に従い，エンジン駆動型圧縮機２０の始動処理を行う。
【００８１】
エンジン駆動型圧縮機２０にディーゼルエンジンを搭載した本実施形態にあっては，運転制御装置２１はエンジンに設けられた予熱手段（グロープラグ，エアヒータ等：図示せず）に対し所定時間（一例として５秒）バッテリ電源の通電を行ってエンジンを予熱した後，スタータ２３を始動（クランキング）してエンジンを始動する（図３のＴ２−Ｔ３）。
【００８２】
エンジンの始動動作中，運転制御装置２１は，エンジンに装備されたオルタネータ（発電機）の発電信号，エンジンの油圧を検知する油圧検知手段の検知信号，エンジンの回転速度を検知する回転速度検知手段からの検知信号等に基づいてエンジンの回転速度を監視し，エンジンが所定の回転速度に達すると，制御装置３０の制御部３２に対してエンジン運転信号を出力し（図３のＴ４），エンジン運転信号を受信した制御部３２は，始動信号の出力を停止する。
【００８３】
運転制御装置２１は，制御部３２からの始動信号を受信している間，エンジンが始動して所定の回転速度に達するまでスタータ２３の始動（クランキング）を行うよう構成されており，本実施形態にあっては，制御装置３０の制御部３２は，図４に示すように始動信号の出力によりエンジンがクランキングを開始して所定時間（一例として１０秒）を経過しても運転制御装置２１からのエンジン運転信号が受信できない場合には，一旦始動信号の出力を停止し，所定時間（一例として１５秒）の待機後，再度，始動信号を出力し，このような始動信号の出力を３回繰り返してもエンジン運転信号が受信できない場合，制御装置３０の制御部３２は，エンジン駆動型圧縮機２０が始動渋滞に陥ったと判断し，前述の表示手段３４に対し始動渋滞である旨の表示を行わせるように構成している。
【００８４】
以後，エンジン駆動型圧縮機２０は，運転制御装置２１によって実現される容量制御装置による運転制御が行われ，レシーバタンク２２内の圧力がモータ駆動型圧縮機１０の全負荷運転復帰圧力（ＰＬ）と無負荷運転開始圧力（ＰＨ）の間に保持されるよう，圧縮機本体の吸気口を開閉制御すると共に，エンジンの回転速度が制御され，これにより，モータ駆動型圧縮機１０の停止によっても，空圧機器６０に対し，通常運転時と同様の所定圧力の圧縮空気が継続的に供給される。
【００８５】
また運転制御装置２１は，エンジン駆動型圧縮機２０に設けられている圧縮機本体の吐出側圧力，図示の実施形態にあってはレシーバタンク２２内の圧力を，圧力スイッチや圧力センサ等から成る圧力検知手段Ｐｓ１の検知信号に基づき監視し，圧縮機本体の吐出側圧力が予め設定された圧力（一例として０．１５MPa）を超えると，制御部に対して「圧力確立信号」を発信する（図３のＴ５）。
【００８６】
更に，運転制御装置２１に保護回路の機能を持たせた場合には，運転制御装置２１は，エンジン駆動型圧縮機２０に設けられたエンジンの潤滑油の油圧低下，該潤滑油の油量低下，該潤滑油の油温上昇，エンジンの冷却水温の上昇，エンジン回転速度の低下，燃料の残量不足（ガス欠），圧縮機本体の潤滑油の油量低下，該潤滑油の油温上昇などを監視し，この監視結果に基づき制御装置３０の制御部３２に対し警報信号，非常停止信号を出力する（図６のＴ６以降）。
【００８７】
なお，エンジン駆動型圧縮機２０のエンジンが始動してから，エンジンの回転が立ち上がり安定する迄の所定の時間（一例として１０秒；図３のＴ４−Ｔ６）が経過する迄は，運転状態が安定せず，この状態のエンジン駆動型圧縮機２０の運転状態を監視して警報表示や非常停止を行う場合，前述の保護回路が誤作動するおそれがあることに鑑み，本実施形態にあっては，エンジン運転信号の出力後，所定時間（一例として１０秒）が経過した後，運転制御装置２１による保護回路の形成（図３のＴ６）を行うものとした。
【００８８】
（３）復電時
以上のようにしてエンジン駆動型圧縮機２０による圧縮空気の供給が行われている停電状態から，商用電源が復電すると，モータ駆動型圧縮機１０に対する電力の供給が再開されてモータ駆動型圧縮機１０が再始動する。
【００８９】
一方，商用電源の復電を検知した停電検知手段３１は，制御部３２に対し復電検知信号を出力し（図３のＴ７），この復電検知信号を受信した制御部３２は，エンジン駆動型圧縮機２０の運転制御装置２１に対し停止信号を出力する（図３のＴ８）。
【００９０】
この停止信号の出力は，停電検知手段３１からの復電検知信号の受信により直ちに出力するものとしても良いが，復電時において商用電源の電圧が安定するまでの間，エンジン駆動型圧縮機２０の運転を継続させるため，停電検知手段３１が復電を検知しても，電源の電圧が安定し所定時間（図３のＴ７−Ｔ８間：一例として１０秒）経過した後，エンジン駆動型圧縮機２０に対して停止信号の出力を行う確認機能を設けるものとしても良い。
【００９１】
また，制御装置３０の制御部３２が，圧力検知手段Ｐｓ２によって空圧機器６０に対し供給されている圧縮空気の圧力を監視している図２に記載の構成では，制御部３２は停電検知手段３１からの復電検知信号を受信した後，圧力検知手段Ｐｓ２が予め設定された所定の停止圧力，例えばモータ駆動型圧縮機の無負荷運転開始圧力（ＰＨ）以上になったことを検知した時に，エンジン駆動型圧縮機２０に対し停止信号を出力するように構成するものとしても良く，このように構成することで，再始動直後に十分な圧縮空気の供給が行えない状態にあるモータ駆動型圧縮機による圧縮空気の供給を，エンジン駆動型圧縮機からの圧縮空気の供給によって補うことができるようにしても良い。
【００９２】
このようにして，制御部３２が停止信号を出力すると（図３のＴ８），制御部３２からの停止信号を受信したエンジン駆動型圧縮機２０の運転制御装置２１は，所定の処理手順に従いエンジン駆動型圧縮機２０の停止処理を行う。
【００９３】
一例として本実施形態にあっては，停止信号を受信した運転制御装置２１は，圧縮機本体の吸気口を閉じると共にエンジンの回転速度を無負荷回転速度に低下させた無負荷運転を所定時間（図３のＴ８−Ｔ９間：一例として６０秒）行う冷却運転を行った後，エンジンを停止して（図３のＴ９），エンジン駆動型圧縮機２０を停止させ（図３のＴ１０），以後，モータ駆動型圧縮機１０によって圧縮空気の供給を行う通常運転に移行する。
【符号の説明】
【００９４】
１  圧縮空気供給システム
１０  モータ駆動型圧縮機
１１  モータ
１２  レシーバタンク（モータ駆動型圧縮機の）
１３  容量制御装置
２０  エンジン駆動型圧縮機
２１  運転制御装置
２２  レシーバタンク
２３  スタータ
３０  制御装置
３１  停電検知手段
３２  制御部
３３  充電器
３４  表示手段
４０  バッテリ
５０  供給配管系統
５１  吐出配管（モータ駆動型圧縮機側）
５２  吐出配管（エンジン駆動型圧縮機側）
５３  集合タンク
５４  供給配管
６０  空圧機器
Ｐｓ１，Ｐｓ２，Ｐｓ３  圧力検知手段
１００  圧縮空気供給システム
１１０  モータ駆動型圧縮機
１３０  電源自動切替装置
１３１  停電検知制御装置
１３２  電源自動切替手段
１５０  供給配管系統
１５１  吐出配管
１５３  集合タンク
１５４  供給配管
１６０  空圧機器
Ｐｓ４  圧力検知手段
【図１】
2015218655.tif 000003
【図２】
2015218655.tif 000004
【図３】
2015218655.tif 000005
【図４】
2015218655.tif 000006
【図５】
2015218655.tif 000007